(57)【特許請求の範囲】
【請求項１】
空調室内機（１０）において自動清掃のために樹脂製の網目を持つエアフィルタ（１６）を移動させるフィルタ移動機構（５０）であって、
前記エアフィルタに接触して前記エアフィルタを移動させるための力を前記エアフィルタに作用させる駆動ローラ（５４）と、
前記エアフィルタを挟んで前記駆動ローラに対向するように配置され、前記駆動ローラとともに前記エアフィルタを挟み込むことによって前記エアフィルタを前記駆動ローラに押し付けるアシストローラ（７０）と、
前記駆動ローラを着脱できるように支持するための支持枠（５１）と、
前記アシストローラに嵌合する軸受け部（７６）と前記支持枠に取り付けるための嵌合部（７７）と前記軸受け部と前記嵌合部とを連結する連結部（７８）とを有する支持部材（７５）と
を備え、
前記支持枠は、前記エアフィルタを引っ張り又は押すことにより前記エアフィルタのテンションを強める部材が設けられておらず、
前記連結部は、前記アシストローラと前記支持枠との間に設けられる弾性部材（７８）で形成され、
前記弾性部材は、前記アシストローラと前記駆動ローラとの間に前記エアフィルタが挟まれた状態で弾性変形して前記アシストローラを前記駆動ローラの方に押す、フィルタ移動機構。
【請求項２】
前記駆動ローラと前記エアフィルタとの位置決めを行なうとともに前記エアフィルタを案内するガイド部材（５３）と、
前記駆動ローラと前記エアフィルタとが前記ガイド部材によって位置決めされた状態で、前記ガイド部材を前記支持枠に固定する固定具（８０）と、
をさらに備え、
前記弾性部材は、前記固定具が前記ガイド部材を前記支持枠に固定することによって弾性変形する、
請求項１に記載のフィルタ移動機構。
【請求項３】
前記アシストローラは、少なくとも２つ設けられ、移動方向に沿う前記エアフィルタの２つの辺（１６ｂ，１６ｃ）の近傍にそれぞれ配置されている、
請求項１又は請求項２に記載のフィルタ移動機構。
【請求項４】
請求項１から３のいずれか一項に記載のフィルタ移動機構を備える、
空調室内機。
【発明の詳細な説明】
【技術分野】
【０００１】
本発明は、エアフィルタを移動するフィルタ移動機構及びフィルタ移動機構を備える空調室内機に関する。
【背景技術】
【０００２】
近年、エアフィルタ清掃装置付きの空調室内機が広く普及している。例えば、特許文献１（実開昭６２−１６０２２１号のマイクロフィルム）に開示されているエアフィルタ清掃装置では、室内熱交換器の風上側に配置されたエアフィルタが環形状に成形されている。そして、エアフィルタの清掃時には、回転する駆動ローラからエアフィルタが摩擦により力を受けてエアフィルタが周回し、ブラシのような掻き取り部材がそのエアフィルタに接触して塵埃を掻き落している。
【発明の概要】
【発明が解決しようとする課題】
【０００３】
特許文献１に記載の空調室内機では、エアフィルタ清掃装置を大型化しないために、ループ状のエアフィルタを、駆動ローラに平行に設けられた円筒形の従動ローラと駆動ローラとを使ってこれらの周りを周回させるように移動している。これら駆動ローラや従動ローラでエアフィルタがスリップしないようにするために、駆動ローラと従動ローラとの間に張られるエアフィルタに比較的高いテンションを掛けておく必要が生じる。このように高いテンションを掛けながら駆動ローラでエアフィルタを駆動することから、駆動ローラを駆動するために比較的高いトルクが必要になり、駆動ローラを駆動するモータの小型化が難しくなる。
【０００４】
本発明の課題は、フィルタを移動して清掃する空調室内機において、フィルタを駆動するためのフィルタ移動機構を小型化することにある。
【課題を解決するための手段】
【０００５】
本発明の第１観点に係るフィルタ移動機構は、空調室内機において自動清掃のために樹脂製の網目を持つエアフィルタを移動させるフィルタ移動機構であって、エアフィルタに接触してエアフィルタを移動させるための力をエアフィルタに作用させる駆動ローラと、エアフィルタを挟んで駆動ローラに対向するように配置され、駆動ローラとともにエアフィルタを挟み込むことによってエアフィルタを駆動ローラに押し付けるアシストローラと、駆動ローラを着脱できるように支持するための支持枠と、アシストローラに嵌合する軸受け部と支持枠に取り付けるための嵌合部と軸受け部と嵌合部とを連結する連結部とを有する支持部材とを備え、支持枠は、エアフィルタを引っ張り又は押すことによりエアフィルタのテンションを強める部材が設けられておらず、連結部は、アシストローラと支持枠との間に設けられる弾性部材で形成され、弾性部材は、アシストローラと駆動ローラとの間にエアフィルタが挟まれた状態で弾性変形してアシストローラを駆動ローラの方に押す。
【０００６】
第１観点に係るフィルタ移動機構によれば、駆動ローラを支持枠に取り付ける際に、弾性部材を弾性変形させてアシストローラを駆動ローラ側に押し付けることができるので、簡単な構成でアシストローラが駆動ローラ側にエアフィルタを押し付ける力を発生させることができる。
【０００７】
本発明の第２観点に係るフィルタ移動機構は、第１観点に係るフィルタ移動機構において、駆動ローラとエアフィルタとの位置決めを行なうとともにエアフィルタを案内するガイド部材と、駆動ローラとエアフィルタとがガイド部材によって位置決めされた状態で、ガイド部材を支持枠に固定する固定具とをさらに備える。そして、弾性部材は、固定具がガイド部材を支持枠に固定することによって弾性変形する。
【０００８】
第２観点に係るフィルタ移動機構によれば、駆動ローラとエアフィルタをガイド部材で位置決めしてから、固定具で支持枠に固定することでアシストローラを駆動ローラ側へ押し付ける力を発生させることができる。
【０００９】
本発明の第３観点に係るフィルタ移動機構は、第１観点又は第２観点に係るフィルタ移動機構において、アシストローラは、少なくとも２つ設けられ、移動方向に沿うエアフィルタの２つの辺の近傍にそれぞれ配置されている。
【００１０】
第３観点に係るフィルタ移動機構によれば、エアフィルタの２つの辺の近傍は、エアフィルタを通過する室内空気の通風抵抗を増加させ難くい場所であるから、エアフィルタの２つの辺の近傍にのみアシストローラを配置することで通風抵抗の増加を抑え易くなる。
【００１１】
本発明の第４観点に係る空調室内機は、第１観点から第３観点のいずれかに係るフィルタ移動機構を備える。
【００１２】
第４観点に係る空調室内機によれば、フィルタ移動機構の駆動ローラとアシストローラとでエアフィルタを挟んで移動させることにより、エアフィルタに高いテンションを発生させてエアフィルタを駆動ローラに強く接触させなくてもエアフィルタと駆動ローラのスリップを防ぐことができる。
【発明の効果】
【００１３】
本発明の第１観点に係るフィルタ移動機構又は第４観点に係る空調室内機では、フィルタ移動機構の構造が簡素化され、より小型化し易くなる。
【００１４】
本発明の第２観点に係るフィルタ移動機構では、駆動ローラとエアフィルタの支持枠への脱着が容易になり、メンテナンスが容易になる。
【００１５】
本発明の第３観点に係るフィルタ移動機構では、通風抵抗の増加を抑えることができ、アシストローラを設けることによる性能低下を抑制することができる。
【図面の簡単な説明】
【００１６】
【図１】一実施形態に係る空調室内機の断面図。
【図２】エアフィルタの外観を示す斜視図。
【図３】図２に示すエアフィルタの平面図。
【図４】一実施形態に係るフィルタ清掃装置の分解図。
【図５】一実施形態に係るフィルタ組立体の分解図。
【図６】図５のフィルタ組立体の平面図。
【図７】アンダーカバーの平面図。
【図８】アンダーカバーの正面図。
【図９】アンダーカバーの底面図。
【図１０】アンダーカバーの背面図。
【図１１】図８のＩ−Ｉ線断面図。
【図１２】支持枠の背面図。
【図１３】アシストローラの拡大斜視図。
【図１４】アシストローラの拡大正面図。
【図１５】アシストローラの支持部材の拡大斜視図。
【図１６】図１５の支持部材の拡大側面図。
【図１７】フィルタ組立体が装着された支持枠を示す正面図。
【図１８】図１７のＩＩ−ＩＩ線断面図。
【図１９】固定具の正面図。
【図２０】フィルタ組立体の部分拡大斜視図。
【図２１】支持枠の部分拡大斜視図。
【図２２】図１７のＩＩＩ−ＩＩＩ線断面図。
【発明を実施するための形態】
【００１７】
以下図面を参照しながら、本発明の実施形態について説明する。なお、以下の実施形態は、本発明の具体例であって、本発明の技術的範囲を限定するものではない。
【００１８】
（１）空調室内機
空調室内機の概要について図１を用いて説明する。図１は、本発明の一実施形態に係るフィルタ移動機構を備える空調室内機の断面図である。図１において、空調室内機１０は、主に、上面、前面及び下面を覆う本体ケーシング１１と背面を覆う背面板１２とで外殻が構成されている。本体ケーシング１１の上面には、グリル１３が形成されており、本体ケーシング１１の前面には前面パネル１４が取り付けられている。そして、本体ケーシング１１及び背面板１２は、本体フレーム１５に取り付けられる。
【００１９】
グリル１３の下方の本体内に、エアフィルタ１６が配置される。グリル１３から吸い込まれた室内空気は、エアフィルタ１６を通過することにより、塵埃が除去される。
【００２０】
エアフィルタ１６の下流には、室内熱交換器１７が配置されている。この室内熱交換器１７は本体フレーム１５に取り付けられている。グリル１３から取り込まれてエアフィルタ１６を通過した室内空気は、室内熱交換器１７を通過するときに温度や湿度が調整される。この空調室内機１０では、室内熱交換器１７を通過した室内空気が調和空気になる。
【００２１】
室内熱交換器１７の下方には、クロスフローファン１８が配置されている。クロスフローファン１８は本体フレーム１５に取り付けられている。このクロスフローファン１８が、本体フレーム１５のスクロール構造と協働して、室内熱交換器１７から下方の吹出通路１９へ向かう気流を発生する。
【００２２】
吹出通路１９の内部には垂直フラップ２０が設けられており、吹出通路１９の出口である吹出口１９ａには水平フラップ２１が設けられている。クロスフローファン１８によって吹出通路１９に導かれた調和空気は、垂直フラップ２０と水平フラップ２１によって吹出される風向が調節される。
【００２３】
（１−１）エアフィルタ
エアフィルタ１６の構成を図２及び図３に示す。エアフィルタ１６は、数十デニールのポリエチレンテレフタレート製の縦糸と横糸からなる、数十メッシュの１枚の網で作られている。この網は、両端部を互いに５〜１０ｍｍ程度重ねて超音波溶着されてなる筒状の部材である。そのため、溶着されてできた高剛性部１６ａは、他の部分よりも剛性が高くなっている。この筒状のエアフィルタ１６の２つの辺１６ｂ，１６ｃの近傍（幅５〜１０ｍｍ程度）は、糸が解れないように熱処理されている。
【００２４】
（２）フィルタ清掃装置
エアフィルタ１６は、図１に示すように、側面から見て環形状になるように取り付けられており、清掃時にはエンドレスのループの上を移動する。このように、エアフィルタ１６を移動させながら自動的に清掃するために、空調室内機１０は、フィルタ清掃装置３０を備えている。このフィルタ清掃装置３０は、主に、塵埃除去機構４０とフィルタ移動機構５０とからなる。
【００２５】
（２−１）塵埃除去機構
図１に示すように、塵埃除去機構４０は、ブラシ４１と、ダストボックス４２と、櫛部４４と、圧縮ローラ４３と、後述するブラシ駆動モータとを備えている。ブラシ４１には、多数の比較的長い毛材が植毛されている。ブラシ４１は、ブラシ駆動モータで回転駆動され、毛材がエアフィルタ１６を擦ることによってエアフィルタ１６から塵埃を掻き落とす。
【００２６】
ブラシ４１で掻き落とされた塵埃は、ダストボックス４２に溜められる。ブラシ４１の毛材中に入り込んだ塵埃はブラシ４１から離れ難いため、櫛部４４で塵埃が梳き落とされる。このとき、ダストボックス４２に多くの塵埃を溜められるように、圧縮ローラ４３が回転して塵埃を圧縮する。
【００２７】
（２−２）フィルタ移動機構
フィルタ移動機構５０は、図４に示すように、主に、支持枠５１と、フィルタ組立体５２のエアフィルタ１６を除く部分とで構成される。１つの支持枠５１に、２つのフィルタ組立体５２が取り付けられる。
【００２８】
（ａ）ガイドフレーム
フィルタ組立体５２の分解図を図５に示す。ガイドフレーム５３は、２本の幅広の桁５３１の間に複数の横棒５３２が渡されている。これら桁５３１は、側面視において湾曲した形状を呈している。そして、横棒５３２に垂直に複数の縦棒５３３が取り付けられ、複数の横棒５３２と複数の縦棒５３３とによって格子が組まれている。それにより、室内空気の通風抵抗の小さく抑えながらガイドフレーム５３の形状を保てるようになっている。また、縦棒５３３と桁５３１との間を結ぶ横棒５３４のようなものも設けられている。
【００２９】
ガイドフレーム５３の２本の桁５３１が側面視において湾曲しているのは、図１に示すように、エアフィルタ１６及びフィルタ移動機構５０が、空調室内機１０の前面パネル１４の背面側から上方のグリル１３の下方にかけて配置されているためである。このように湾曲することで、エアフィルタ１６の面積が大きくなる。エアフィルタ１６を通過する風量が同じであれば、面積が大きくなった分だけ、エアフィルタ１６を通過する室内空気の風速が小さくなるので、塵埃の除去や通風抵抗を低減できる点で有利である。しかし、この湾曲した桁５３１に沿うようにエアフィルタ１６を移動させるようにしないと、空調室内機１０の小型化にとっては不利になる。そのため、エアフィルタ１６が桁５３１に沿って湾曲しながら移動するように、エアフィルタ１６の下から支持枠５１がエアフィルタ１６を支えている。
【００３０】
（ｂ）駆動ローラとエンドローラ
ガイドフレーム５３の２本の桁５３１の前面側の端部には、駆動ローラ５４を取り付けるためのリング状の支持部５３５が設けられている。駆動ローラ５４は、その芯になる部分が平行な複数のリブからなる形状を有するが、断面の表面形状が略円形になるように構成されている。そのような断面略円形の表面形状とするために、駆動ローラ５４の表面には短い毛材が立毛されたフィルムが螺旋状に巻回されている。この毛材としては、例えば短繊維（パイル）などがある。駆動ローラ５４は、この支持部５３５に支持された状態で回転することができる。駆動ローラ５４には、被駆動ギア５５が嵌め込まれる。この被駆動ギア５５は、後述するローラ駆動モータの回転を駆動ローラ５４に伝える。
【００３１】
２本の桁５３１の背面側の端部には、エンドローラ５６を取り付けるための開孔部５３６が形成されている。エンドローラ５６は、断面形状が略十字形の基部５６１と、断面形状が円形の端部５６２とからなっている。このエンドローラ５６の端部５６２が開孔部５３６に嵌め込まれる。そのため、エンドローラ５６は、２本の桁５３１で支持された状態で、回転することができる。
【００３２】
筒状に形成されたエアフィルタ１６は、駆動ローラ５４とエンドローラ５６との間に掛け渡される。２本の桁５３１には、この掛け渡されたエアフィルタ１６を案内するための多数の突部５３７が設けられている。突部５３７は、平面視において、前面側から背面側に向けて一直線に並んでいる。エアフィルタ１６の移動方向Ｄｒ１に沿う２つの辺１６ｂ，１６ｃが、これら複数の突部５３７の並ぶ方向に沿って案内される（図６参照）。そして、エアフィルタ１６の２つの辺１６ｂ，１６ｃの近傍は、２本の桁５３１の上を移動する。
【００３３】
（ｃ）取っ手部材
図５及び図６に示すように、ガイドフレーム５３の２本の桁５３１には、２個の取っ手部材５７がそれぞれ固定される。この取っ手部材５７は、フィルタ組立体５２を支持枠５１に取り付けるときに掴む場所を設けるためのものである。これら取っ手部材５７を掴んだときにフィルタ組立体５２が歪むのを防止するため、２個の取っ手部材５７を補強棒５８により繋げて取っ手部材５７周辺の強度が高められている。
【００３４】
（ｄ）支持枠
図４に示す支持枠５１は、図１に示す本体フレーム１５に取り付けられている。そのために支持枠５１には、本体フレーム１５に留めるための爪部５１９などが設けられている。この支持枠５１には、向かって右側から、右側部材５１１、中央部材５１２及び左側部材５１３が並行に配置されている。右側部材５１１と中央部材５１２との間がそれぞれビーム（梁）５１５と複数の横棒５１６で接続され、同様に中央部材５１２と左側部材５１３との間がビーム５１５と横棒５１６とで接続されている。複数の横棒５１６に垂直に交わるように、縦棒と板とからなる複数の補強部材５１７が設けられている。
【００３５】
これら支持枠５１の横棒５１６や補強部材５１７の上をエアフィルタ１６が通過するようにフィルタ組立体５２が支持枠５１に取り付けられる。それにより、横棒５１６や補強部材５１７に支えられて、エアフィルタ１６の下方側がガイドフレーム５３に沿うように、エアフィルタ１６は周回移動することができる。
【００３６】
フィルタ組立体５２を支持枠５１に取り付けるために、支持枠５１の右側部材５１１、中央部材５１２及び左側部材５１３の上部には、ガイドレール５１８が設けられている。このガイドレール５１８には、ガイドフレーム５３の２本の桁５３１の側端部５３１ａをスライドさせながら嵌め込むことができる。ガイドレール５１８も湾曲しているため、ガイドフレーム５３の桁５３１はガイドレール５１８に嵌め込む際に屈曲できるような柔らかい樹脂で形成されている。
【００３７】
支持枠５１には、２本の駆動ローラ５４を駆動するため、ローラ駆動モータ５９が２個取り付けられている。これらローラ駆動モータ５９によって、図には現れていない駆動ギアが駆動される。なお、図４に示すように、向かって左側に取り付けられる駆動ギアを駆動するためローラ駆動モータ５９の一つから駆動軸５９ａが延びている。駆動ギアは被駆動ギア５５と噛み合わされており、駆動ローラ５４にローラ駆動モータ５９のトルクを伝達することができる。また、支持枠５１にはブラシ駆動モータ４７が１個取り付けられている。
【００３８】
（ｅ）アンダーカバー
図４に示すように、支持枠５１の下部には。駆動ローラ５４に沿ってＵ字型に折り返されるエアフィルタ１６の下方をカバーするアンダーカバー６０が取り付けられている。図７は、アンダーカバー６０の平面図であり、図８はアンダーカバー６０の正面図であり、図９はアンダーカバーの底面図であり、図１０はアンダーカバー６０の背面図であり、図１１は図８のＩ−Ｉ線断面である。
【００３９】
アンダーカバー６０は、背面側に支持枠５１にネジ止めするためのネジ穴６２ａ，６２ｂが中央と両側に設けられている。図１２は、支持枠５１を背面側から見た図であり、支持枠５１にアンダーカバー６０がネジ６４によって固定された状態を示している。
【００４０】
アンダーカバー６０は、水平方向に延びるカバー部６１と垂直方向に延びる壁面部６２とからなる。カバー部６１は、駆動ローラ５４の形状に沿う断面円弧状の窪みがあり、その窪みに６つの開口部６３が形成されている。アンダーカバー６０の下方に、図１に示したブラシ４１が配置されており、これら開口部６３を通してブラシ４１の毛材がエアフィルタ１６に接触する。
【００４１】
アンダーカバー６０には、後述するアシストローラが取り付けられる。アシストローラは、図１１に示す突出部６５と２つの開口部６６ａ，６６ｂを使って取り付けられる。突出部６５は、図７及び図９に示すように、左右方向に４箇所設けられており、４個のアシストローラが取り付けられる。
【００４２】
また、アンダーカバー６０には、ダストボックス４２の一部を構成するブラシカバー４５（図１参照）が取り付けられる。ブラシカバー４５は、背面側にフックが一体的に形成されており、このフックをアンダーカバー６０の開口部６７に引っ掛けることによって固定される。
【００４３】
（ｆ）アシストローラ
図１３はアシストローラ７０の拡大斜視図であり、図１４はアシストローラ７０の拡大平面図である。アシストローラ７０は、十字形のハブを内部に有する円筒形の２つのローラ部７１，７２とこれらを繋ぐ回転軸７３とからなる。
【００４４】
アシストローラ７０は、図１５に示す支持部材７５によって、アンダーカバー６０の突出部６５及び開口部６６ａ，６６ｂに固定される。支持部材７５は、アシストローラ７０の回転軸７３に嵌合する軸受け部７６と、突出部６５及び開口部６６ａ、６６ｂと嵌合する嵌合部７７と、軸受け部７６と嵌合部７７とを連結する連結部７８とからなる。嵌合部７７は、アンダーカバー６０の開口部６６ａに挿入される突出部７７ａと、開口部６６ｂに挿入される突出部７７ｂと、アンダーカバー６０の突出部６５が嵌まる凹部７７ｃとを有する。支持部材７５がアンダーカバー６０に嵌合した後に抜けないように、突出部７７ｂには、突起７７ｄが設けられている（図１６参照）。
【００４５】
図１７は、支持枠５１にフィルタ組立体５２が取り付けられた状態を示す正面図であり、図１８は、図１７におけるＩＩ−ＩＩ線断面図である。なお、図１８には図１７に二点鎖線で示した固定具８０及び非固定状態のフィルタ組立体５２の記載は省かれている。図１８に示すように、支持枠５１にフィルタ組立体５２が取り付けられた状態で、アシストローラ７０が駆動ローラ５４の方にエアフィルタ１６を押すように構成されている。それにより、エアフィルタ１６は、アシストローラ７０と駆動ローラ５４によって挟まれるため、エアフィルタ１６と駆動ローラ５４との間でスリップが起こるなどして、エアフィルタ１６の移動に不具合が生じるのを防ぐことができる。
【００４６】
アシストローラ７０が適切な力で駆動ローラ５４の方にエアフィルタ１６を押すように、連結部７８は、弾性変形を起し易いように薄く、かつ側面視における断面形状が円弧になるように成形されている。連結部７８は、撓み易く、かつ変形を繰り返しても破損し難いように、ポリプロピレンでつくられている。
【００４７】
軸受け部７６は、切れ目が下方を向いているような略Ｃ字型の断面形状に成形されており、アシストローラ７０の回転軸７３が無理嵌めされる。この軸受け部７６の内径がアシストローラ７０の回転軸７３よりも０．２ｍｍ程度大きくなっており、アシストローラ７０は、回転軸７３が軸受け部７６に嵌まった後には、回転軸がぶれることなく極めて僅かな力で回転することができる。
【００４８】
（ｇ）固定具
上述のように、アシストローラ７０は、支持部材７５の連結部７８の弾性変形によって、駆動ローラ５４を押す。そのため、駆動ローラ５４がアシストローラ７０によって押されてもフィルタ組立体５２の位置が変わらないように、アシストローラ７０の連結部７８を弾性変形させた状態でフィルタ組立体５２を固定する固定具８０が支持枠５１に取り付けられている（図１７及び図１８参照）。図１９は、固定具８０の正面図である。固定具８０は、一つの軸を中心に回転移動するように構成されており、この軸上に設けられている２つの嵌合部８１，８２が支持枠５１に嵌め込まれる。固定具８０が回転移動できるようにするため、これら２つの嵌合部８１，８２は円形又は円弧が組み合わさった形状の断面に形成されている。
【００４９】
図２０は、フィルタ組立体の部分拡大斜視図である。図２０に示すように、フィルタ組立体５２のガイドフレーム５３の桁５３１の側面には、被固定部５３１ｂが形成されている。図２１は、支持枠の部分拡大斜視図である。図２１に示す状態は、フィルタ組立体５２が取り付けられる前の状態であり、固定具８０が前面側に回転しきっており、それ以上は前面側へ回転しない状態である。図２１に示すように、固定具８０には固定部８３が形成されている。
【００５０】
フィルタ組立体５２が固定具８０に押されて、フィルタ組立体５２が支持枠５１に装着される様子を図１８及び図２２を用いて説明する。図２２は、図１７のＩＶ‐ＩＶ線断面の図であるが、実線で示されている固定状態の固定具８０及びそれに対応するフィルタ組立体５２の記載を省略し、代わりに二点鎖線で示されている非固定状態の固定具８０及びそれに対応するフィルタ組立体５２が記載されている。
【００５１】
従って、図２２に、固定前のフィルタ組立体５２が示されており、固定後のフィルタ組立体５２が図１８に示されている。同様に、固定前の固定具８０が図２２に示され、固定後の固定具８０が図１８に示されている。
【００５２】
支持枠５１のガイドレール５１８にフィルタ組立体５２の側端部５３１ａを挿入した状態で、図２２に示すように、固定具８０を持ち上げて背面側の方（矢印の方向Ｄｒ２）に向かって回転させる。固定具８０が回転すると、固定具８０の固定部８３に被固定部５３１ｂが押されてフィルタ組立体５２の全体が背面側に向かって押し込まれる。フィルタ組立体５２は、ガイドフレーム５３の側端部５３１ａがガイドレール５１８をスライドして、ガイドフレーム５３がわずかに変形しながら押し込まれる。そして、フィルタ組立体５２が支持枠５１に固定された後は、前面側に向かっての動きが固定具８０によって規制され、これらガイドレール５１８と固定具８０によってフィルタ組立体５２が支持枠５１に固定される。
【００５３】
（３）フィルタ清掃運転
空調室内機１０は、フィルタ清掃装置３０を制御する制御部を内蔵しており、制御部の制御の下で自動制御を行う。制御部は、空調室内機１０の運転時間をカウントしている。前回フィルタ清掃装置３０が行ったフィルタ清掃運転の後、累積運転時間が予め設定されている時間（例えば１８時間）に達すると新たにフィルタ清掃運転を行う。
【００５４】
フィルタ清掃運転では、図１８に示す方向で見て、駆動ローラ５４を反時計回りに回転させる。エアフィルタ１６は、短毛のある駆動ローラ５４とアシストローラ７０で挟まれ、この駆動ローラ５４の回転によって、駆動ローラ５４とエンドローラ５６とで折り返されて反時計回りに周回移動を行なう。このとき、エアフィルタ１６は、ガイドフレーム５３よりも上を前面側に向かって移動するときには、ガイドフレーム５３の桁５３１、横棒５３２及び縦棒５３３などによって支えられながら移動する。このフィルタ移動機構５０には、従来のようにエアフィルタ１６を強く引っ張り、或いは押すことによりテンションをエアフィルタ１６のテンションを強める部材が設けられていない。そのため、支えが無ければ、ガイドフレーム５３の下を背面側に向かって移動するときにエアフィルタ１６が弛んでしまう。エアフィルタ１６に強いテンションを発生させないが、弛まない程度に、支持枠５１の補強部材５１７や横棒５１６によってエアフィルタ１６が支えられる。それにより、エアフィルタ１６の下方の部分も、ガイドフレーム５３の桁５３１の湾曲に沿って湾曲した形で周回動作を行うことができる。エアフィルタ１６は、比較的ゆっくり回転され、例えば３分程度で１周回る。
【００５５】
このようにエアフィルタ１６が移動しているときに、ブラシ４１は、図５に示すブラシ駆動モータ４７によって反時計回りに回転させられる。そのため、ブラシ４１の毛材がエアフィルタ１６の移動方向とは反対に動いて、エアフィルタ１６の網目からブラシ４１の毛材が塵埃を掻き出す。ブラシ４１によって掻き出された塵埃は、既に説明したように、図１に示した櫛部４４と圧縮ローラ４３とによってダストボックス４２に溜められる。
【００５６】
（４）特徴
（４−１）
空調室内機１０のエアフィルタ１６の自動清掃の際に、フィルタ移動機構５０の駆動ローラ５４にアシストローラ７０がエアフィルタ１６を押し付けて、駆動ローラ５４の回転によってエアフィルタ１６を駆動する。駆動ローラ５４にアシストローラ７０がエアフィルタ１６を押し付けても、エアフィルタ１６がアシストローラ７０によってテンションを高めるように作用しないので、従来のように棒状の部材でエアフィルタ１６を押したり、或いは引いたりして、エアフィルタ１６のテンションが高くなることはない。そのため、エアフィルタ１６のテンションを低く抑えられることによって、エアフィルタ１６を周回させるために必要なトルクを小さくでき、ローラ駆動モータ５９の小型化が行なえる。
【００５７】
（４−２）
このアシストローラ７０は、支持部材７５の軸受け部７６に回転できるように嵌合されているだけであるため、駆動ローラ５４の回転に従って回転する。そのため、駆動ローラ５４の周面の速度とアシストローラ７０のローラ部７１，７２の周面の速度が一致するから、周面の速度のバラツキによってアシストローラ７０から受ける力を見込んで高い駆動力を駆動ローラ５４に与えなくてもよく、ローラ駆動モータ５９のトルクを低く抑えることができる。
【００５８】
（４−３）
アシストローラ７０の配置される位置は、エアフィルタ１６の２つの辺１６ｂ，１６ｃの近傍である。図１に示すように、室内熱交換器１７は、逆Ｖ字型に配置されており、空調室内機１０の底部の近傍まで延びている。そのため、エアフィルタ１６を通過する室内空気の流れの一部が、空調室内機１０の前面に近いところでは、上方から下方に向かう。そのため、アシストローラ７０の周囲でも室内空気が下方に向かうが、アシストローラ７０がエアフィルタ１６の２つの辺１６ｂ，１６ｃの近傍に配置されることで、この室内空気の流れの妨げになるのを防いでいる。それにより、アシストローラ７０のような部材をエアフィルタ１６の周辺に配置するにもかかわらず、通風抵抗の増加を抑えることができる。勿論、アシストローラ７０を駆動ローラ５４のように長くしないことによっても、通風抵抗の増加が抑えられている。
【００５９】
（４−４）
駆動ローラ５４は、フィルタ組立体５２の中に組み込まれ、フィルタ組立体５２として支持枠５１に対して着脱される。そして、フィルタ組立体５２が支持枠５１に装着された状態においては、駆動ローラ５４は、フィルタ組立体５２ごと支持枠５１によって支持される。アシストローラ７０は、この駆動ローラ５４が着脱される支持枠５１の方に取り付けられている。そのため、駆動ローラ５４をエアフィルタ１６と一緒に装着すると、駆動ローラ５４とアシストローラ７０との間にエアフィルタ１６が挟まれる状態にすることができ、駆動ローラ５４やエアフィルタ１６の装脱が容易になる。
【００６０】
（４−５）
フィルタ組立体５２に組み込まれた駆動ローラ５４を支持枠５１に装着すると、アシストローラ７０を支持している支持部材７５の連結部７８（弾性部材）が弾性変形を起し、その弾性変形によって発生する力でアシストローラ７０が駆動ローラ５４の方に押し付けられる。支持部材７５のような簡単な構成でアシストローラ７０を押し付けるための力を発生でき、フィルタ移動機構５０の構成が簡素化される。
【００６１】
（４−６）
アシストローラ７０の連結部７８の弾性力に抗して駆動ローラ５４を装着するには困難を伴う。そこで、固定具８０で、駆動ローラ５４が組み込まれて駆動ローラ５４とエアフィルタ１６との位置決めをガイドフレーム５３（ガイド部材）で行なったもの即ちフィルタ組立体５２を押し込んで固定することで、簡単に適切な弾性変形を連結部７８に起こさせることができる。それにより、装着が簡単になり、メンテナンスを行ない易くなる。
【００６２】
（４−７）
駆動ローラ５４の毛材とエアフィルタ１６の網目とが互いに作用する部分をアシストローラ７０で押している。そのため、駆動ローラ５４とエアフィルタ１６とが滑ることがなくなるため、清掃中におけるエアフィルタ１６の移動を滑らかに行わせることができる。
【００６３】
（５）変形例
（５−１）変形例１Ａ
上記実施形態では、１つのエアフィルタ１６の２つの辺１６ｂ，１６ｃの近傍に、アシストローラ７０を２つに分割して配置している。しかし、アシストローラ７０の個数は２つに限定されるものではなく、３つ以上に分けてもよく、或いは１つのエアフィルタ１６全体を押すような１本のローラで構成することもできる。
【００６４】
（５−２）変形例１Ｂ
上記実施形態では、空調室内機１０にエアフィルタ１６と駆動ローラ５４とを着脱するときに、フィルタ組立体５２を支持枠５１に対して着脱する態様で行なっている。しかし、エアフィルタ１６や駆動ローラ５４を組み立ててフィルタ組立体５２という状態にして着脱しなければならないものではなく、エアフィルタ１６や駆動ローラ５４を個別に空調室内機１０に対して着脱するように構成することもできる。
【符号の説明】
【００６５】
１０  空調室内機
５０  フィルタ移動機構
５１  支持枠
５２  フィルタ組立体
５４  駆動ローラ
７０  アシストローラ
７５  支持部材
７８  連結部材
８０  固定具
【先行技術文献】
【特許文献】
【００６６】
【特許文献１】実開昭６２−１６０２２１号のマイクロフィルム
【図１】
0005614434.tif 000002
【図２】
0005614434.tif 000003
【図３】
0005614434.tif 000004
【図４】
0005614434.tif 000005
【図５】
0005614434.tif 000006
【図６】
0005614434.tif 000007
【図７】
0005614434.tif 000008
【図８】
0005614434.tif 000009
【図９】
0005614434.tif 000010
【図１０】
0005614434.tif 000011
【図１１】
0005614434.tif 000012
【図１２】
0005614434.tif 000013
【図１３】
0005614434.tif 000014
【図１４】
0005614434.tif 000015
【図１５】
0005614434.tif 000016
【図１６】
0005614434.tif 000017
【図１７】
0005614434.tif 000018
【図１８】
0005614434.tif 000019
【図１９】
0005614434.tif 000020
【図２０】
0005614434.tif 000021
【図２１】
0005614434.tif 000022
【図２２】
0005614434.tif 000023